(57)【特許請求の範囲】
【請求項１】
焦点レンズの測定モードと累進レンズの測定モードとを切換える測定モード切換え手段を備え、所定のノーズピース上に載置された被検レンズの光学特性を測定するレンズメータにおいて、
測定光束を被検レンズに投光する光源と被検レンズを経た測定光束を受光する受光素子を持ち、測定光軸を中心にした測定位置を含んで眼鏡装用時の上下方向及び左右方向にそれぞれ少なくとも３箇所の測定位置を前記ノーズピースの開口内に形成するための測定指標を持つ測定指標板であって、単焦点レンズの通常測定の光学特性が得られるような距離で測定光軸を中心に配置された少なくとも３つの指標を含む中央指標と、該中央指標の周辺に配置された多数の指標を含む周辺指標と、を持つ測定指標板が光路内に配置された測定光学系と、
累進レンズの測定モード時に、前記ノーズピースの開口内及び前記測定指標板を測定光束が通過することによって前記受光素子に受光される前記中央指標及び前記周辺指標に基づいて前記開口内の各測定位置の光学特性を求める演算手段と、
該演算手段により演算された各測定位置の光学特性であって、前記ノーズピースの開口内で同時に得られた上下方向及び左右方向のそれぞれにおける前記少なくとも３箇所の各測定位置の光学特性を比較して所定の測定位置を累進レンズの近用部に導く誘導手段と、
を備えることを特徴とするレンズメータ。
【請求項２】
請求項１のレンズメータにおいて、前記誘導手段は、前記ノーズピースの開口内で同時に得られた各測定位置の光学特性を比較して所定の測定位置が近用部にあるか否かを判断し、測定位置が近用部に無い場合には、同時に得られた各測定位置の光学特性の比較結果に基づいて所定の測定位置を累進レンズの近用部に導くことを特徴とするレンズメータ。
【発明の詳細な説明】
【技術分野】
【０００１】  本発明は、被検レンズの光学特性を測定するレンズメータに関する。
【従来技術】
【０００２】  被検レンズに測定光束を投光し、被検レンズを透過した測定光束を受光素子により検出し、その検出結果に基づいて被検レンズの光学特性を得るレンズメータが知られている。従来のこの種のレンズメータにおいては、特開平９−４３０９９号公報にあるように、ノーズピースに被検レンズを載せ、ノーズピースのほぼ中心位置にある被検レンズの屈折力を１組の測定光束（同一円周上に位置する少なくとも３つの測定光束）により測定する構成となっていた。
【発明が解決しようとする課題】
【０００３】  こうしたレンズメータでは通常の単焦点レンズを測定する場合には十分であった。しかしながら、レンズ位置により屈折力が変化する累進屈折力レンズ（以下、累進レンズという）を測定する場合、ノーズピース上で被検レンズを移動しながら最適な遠用部、近用部の測定点を探すアライメント操作は複雑であり、測定に手間が掛かった。
【０００４】  また、単焦点レンズにおいても非球面設計のレンズが多くなっているが、光学中心からの距離によってレンズカーブ曲率や収差量が変化していくため、従来の構造では精度の良い測定結果を得ることが難しかった。
【０００５】
本発明は、上記従来技術に鑑み、被検レンズが累進レンズの場合にその測定が容易にできるレンズメータを提供することを技術課題とする。
【課題を解決するための手段】
【０００６】
上記課題を解決するために、本発明は以下のような構成を備えることを特徴とする。
（１）  焦点レンズの測定モードと累進レンズの測定モードとを切換える測定モード切換え手段を備え、所定のノーズピース上に載置された被検レンズの光学特性を測定するレンズメータにおいて、測定光束を被検レンズに投光する光源と被検レンズを経た測定光束を受光する受光素子を持ち、測定光軸を中心にした測定位置を含んで眼鏡装用時の上下方向及び左右方向にそれぞれ少なくとも３箇所の測定位置を前記ノーズピースの開口内に形成するための測定指標を持つ測定指標板であって、単焦点レンズの通常測定の光学特性が得られるような距離で測定光軸を中心に配置された少なくとも３つの指標を含む中央指標と、該中央指標の周辺に配置された多数の指標を含む周辺指標と、を持つ測定指標板が光路内に配置された測定光学系と、累進レンズの測定モード時に、前記ノーズピースの開口内及び前記測定指標板を測定光束が通過することによって前記受光素子に受光される前記中央指標及び前記周辺指標に基づいて前記開口内の各測定位置の光学特性を求める演算手段と、該演算手段により演算された各測定位置の光学特性であって、前記ノーズピースの開口内で同時に得られた上下方向及び左右方向のそれぞれにおける前記少なくとも３箇所の各測定位置の光学特性を比較して所定の測定位置を累進レンズの近用部に導く誘導手段と、を備えることを特徴とする。
（２）  （１）のレンズメータにおいて、前記誘導手段は、前記ノーズピースの開口内で同時に得られた各測定位置の光学特性を比較して所定の測定位置が近用部にあるか否かを判断し、測定位置が近用部に無い場合には、同時に得られた各測定位置の光学特性の比較結果に基づいて所定の測定位置を累進レンズの近用部に導くことを特徴とする。
【発明を実施するための形態】
【０００７】  本発明の実施の形態を図面に基いて説明する。図１は実施形態のレンズメータ装置の外観を示した図である。
【０００８】  １はレンズメータ本体である。２はＬＣＤ等で構成されたディスプレイであり、測定結果やアライメントのターゲット等の測定に必要な情報が表示される。３は入力用のスイッチであり、ディスプレイ２に表示されるスイッチ表示に対応したものを押すことにより、測定モードの切換え等の必要な入力指示を行う。４は被検レンズＬＥを置き、測定時の基点となるノーズピースである。５はレンズ押えであり、これを下に降ろすことでノーズピース４に載せられた被検レンズＬＥを安定して保持するすることができる。
【０００９】  ６は前後方向に移動可能なレンズ当てであり、眼鏡フレーム入りレンズの測定においてフレームの下部（眼鏡装用状態における下部）に当接させて安定させることによりＡｘｉｓ（乱視軸角度）測定の基準を作る。７はレンズＬＥに印点を施す場合に使用する印点機構である。８は被検レンズＬＥの光学特性データを読み取るためのＲＥＡＤスイッチである。ＲＥＡＤスイッチ８を押すことにより、測定値がディスプレイ２にホールド表示されるると共に装置内部に記憶される。
【００１０】  図２は光学系と制御系を示す図である。２０は測定光学系であり、Ｌ１はその測定光軸である。測定光学系２０は、光軸Ｌ１上に配置されたＬＥＤ等の測定光源２１、コリメーティングレンズ２２、測定指標が形成されたグリッド板２３、２次元のイメージセンサ２４を備える。光軸Ｌ１はノーズピース４が持つ開口４ａの中心を通り、かつ開口４ａの開口平面に対して垂直に配置されている。グリッド板２３はノーズピース開口４ａの近傍に配置されている。イメージセンサ２４とノーズピース４の上端（レンズＬＥの後頂点）の間隔は、レンズＬＥの測定範囲の内の最小焦点距離よりも小さく設計されている。
【００１１】  グリッド板２３の指標パターンを図３に示す。グリッド板２３の外径はノーズピース開口４ａの内径と等しくφ８ｍｍであり、直径φ０．２ｍｍの孔が１７個空けられている。中心孔Ｈ５以外の孔は１．８ｍｍピッチで等間隔に配置されている。中心孔Ｈ５は光軸Ｌ１上に位置するようにグリッド板２３の中心にあり、各グリッド孔の位置確認のためと、プリズム測定に使用される。また、孔Ｈ１，Ｈ２，Ｈ３，Ｈ４の組は、コンタクトレンズ用の小口径ノーズピース使用時にも測定可能なサイズとされる。光源２１からの光束はコリメーティングレンズ２２により平行光束とされ、レンズＬＥに投光される。その透過光束の内、グリッド板２３の小孔を通過した光束がイメージセンサ２４上に届く。
【００１２】  イメージセンサ２４からの出力信号は制御部４０に入力される。制御部４０は、レンズＬＥが無い場合のグリッド板２３を通してイメージセンサ２４に届いた小孔像の位置を基準にし、屈折力を持つレンズＬＥを置いた場合の小孔像の位置偏位から、レンズＬＥの諸光学特性（球面度数、柱面度数、乱視軸角度、プリズム量）を演算する。例えば、球面度数のみのレンズの光学中心が４つの小孔の中心に置かれた場合は、４つの小孔像はレンズＬＥが無い場合のそれぞれの位置の中心から円形状に等距離に拡大、縮小する。この円形状の拡大、縮小量に応じて球面度数が求まる。また、柱面度数を含むレンズの軸が４つの小孔の中心に置かれた場合は、４つの小孔像はレンズＬＥが無い場合のそれぞれの位置の中心から、楕円状に拡大、縮小する。この楕円状の拡大、縮小量に応じて柱面度数が求まる。乱視軸角度は楕円の軸方向によって求まる。また、プリズム量は、４つの小孔像の中心の平行移動量によって求まる。球面成分、柱面成分、プリズムを含む被検レンズはこれらの複合と考えれば良い（特開昭５０−１４５２４９を参照）。
【００１３】  ところで、グリッド板２３の孔は、ノーズピース４の中央部の同心円上に４つ（最低３つ）あれば、通常必要な諸光学特性が得られるが、本装置のグリッド板２３では中央部の４つの孔Ｈ１〜Ｈ４の周辺に同様の孔Ｈ６〜Ｈ１７を設けており、隣接する４つ（少なくとも３つ）の孔を１組として、ノーズピース開口４ａ内にて異なる測定位置を形成し、その各測定位置の諸光学特性をそれぞれ求める。すなわち、ここでは孔Ｈ１，Ｈ２，Ｈ３，Ｈ４の組、孔Ｈ３，Ｈ４，Ｈ12，Ｈ13の組、孔Ｈ１，Ｈ２，Ｈ６，Ｈ７の組、孔Ｈ２，Ｈ４，Ｈ９，Ｈ10の組、孔Ｈ２，Ｈ７，Ｈ８，Ｈ９の組、孔Ｈ４，Ｈ10，Ｈ11，Ｈ１２の組、孔Ｈ１，Ｈ３，Ｈ15，Ｈ16の組、孔Ｈ１，Ｈ６，Ｈ16，Ｈ17の組、孔Ｈ３，Ｈ13，Ｈ14，Ｈ15の組により、計９個所の測定位置の光学特性を求めるようにしている。
【００１４】  このような測定光束が通過する孔（指標）の配置により、累進レンズの測定においては、ノーズピース４内におけるレンズＬＥの複数位置の諸光学特性を得ることができ、現在の測定位置が遠用部にあるか否かを効率良く判定することができる。また、同様に近用測定においても測定位置が近用部にあるか否かを判定することができる。
【００１５】  なお、グリッド板２３の配置は、ノーズピース４に載置される被検レンズより光源２１側にしても良い。また、グリッド板２３と同様な測定光束を得るように、光源２１を二次元配置して測定指標を構成しても良い。
【００１６】  図２おいて、制御部４０には測定結果を記憶するためのメモリ４１、測定結果等の測定情報をディスプレイ２に表示させるための表示回路４２が接続されている。
【００１７】  以上のような構成を持つ装置において、その動作を説明する。まず、眼鏡の枠入り累進レンズの測定について説明する。
【００１８】  ディスプレイ２の表示に対応したところのスイッチ３を押して累進レンズの測定モードにした後、レンズＬＥの遠用部付近をノーズピース４の上に載せる。図４に示す様に、ディスプレイ２上には、累進レンズを模したサークルを持つアライメント画面が表示され、その中に遠用部のアライメント用の中心ガイド１００、ターゲット１０１が表れる。ディスプレイ２を見ながらアライメントをし、遠用部の測定ポイントを合わせる。この時、図１に示すようにレンズ当て６の当接面６ａに眼鏡の左右枠の下端（本明細書では、眼鏡枠やレンズの上下とは眼鏡を装用した状態での上下を意味するものとして使用する）を同時に当接させる。また、レンズ押え５を下に降ろし、ノーズピース４の開口４ａの端にレンズＬＥの裏面がきちんと当接させることにより、レンズＬＥの裏面の法線方向が測定光軸Ｌ１と略一致するようにすることが好ましい。
【００１９】  遠用部のアライメントについて説明する。累進レンズの遠用部は、乱視屈折力がない場合は、レンズの左右方向のプリズムが０となる縦軸線上（眼鏡を装用した状態の上下方向を縦方向とする）に存在する。この縦軸線上では水平方向のプリズム量が略０であるため、制御部４０は図３のグリッド孔Ｈ5の像又は孔Ｈ1，Ｈ2，Ｈ3，Ｈ4の組の像によりプリズム量を求めて現在の位置が遠用部に近いかを判断する。水平プリズム量がまだ多く、ノーズピース開口４ａ内に遠用部はないと判断された場合は、中心ガイド１００に対してターゲット１０１が右又は左に表示されるので（図４（ａ）参照）、検者は水平プリズム量を０に近づけるべく被検レンズＬＥを右または左に移動させる。ターゲット１０１の表示位置は水平プリズム量に応じて制御される。水平プリズム量が略０になると、ターゲット１０１が中心ガイド１００の縦線に一致するように表示される。
【００２０】  水平プリズム量が略０となった後に、制御部１０はグリッド孔Ｈ1，Ｈ2，Ｈ3，Ｈ4の組、Ｈ1，Ｈ2，Ｈ6，Ｈ7の組、Ｈ3，Ｈ4，Ｈ12，Ｈ13の組の像による各屈折力を求める。遠用部付近では、ノーズピース口径内程度の範囲では屈折力がほぼ一定であるので、縦方向の３位置の屈折力がほぼ同じであれば遠用部または遠用部とほぼ同じの領域にあると判断する。等価球面値がＨ3，Ｈ4，Ｈ12，Ｈ13＞Ｈ1，Ｈ2，Ｈ6，Ｈ7であれば、累進帯に位置していると判断される。この場合、検者に被検レンズをレンズ上方に移動させる（レンズを装置奥側に押す）指示として、矢印１０２（図４（ｂ）参照）が表示される。上下方向の各位置の屈折力がほぼ同じと判断されれば、制御部４０はターゲット１０１の表示を大十字１０５に変化させ（図４（ｃ）参照）、検者に遠用部のアライメントが完了したことを知らせる。この時点で、検者はＲＥＡＤスイッチ８を押して遠用部測定値をメモリ４１に記憶させる。または、制御部４０が自動的に遠用部の測定値をホールドしても良い。
【００２１】  乱視度数のある被検レンズの場合は、遠用部位置の水平プリズム量が０とはならないため補正を行う必要があるが、乱視度数が球面度数よりも大きい場合などでは補正量の誤差が大きくなる場合もある。このため、孔Ｈ1，Ｈ2，Ｈ3，Ｈ4の組、孔Ｈ2，Ｈ4，Ｈ9，Ｈ10の組、孔Ｈ1，Ｈ3，Ｈ15，Ｈ16の組による左右方向の各位置の乱視度数を求め、孔Ｈ1，Ｈ2，Ｈ3，Ｈ4の組の乱視度数が最小になるように被検レンズＬＥを移動させるべく、ターゲット１０１をディスプレイ２に表示する。
【００２２】  遠用部位置の記録として印点を打つ場合は、上記のように水平プリズム量が略０または乱視度数がある場合、乱視度数が最小となる位置をノーズピース中央部の孔Ｈ1，Ｈ2，Ｈ3，Ｈ4の位置となる様にアライメントする。しかし、遠用部のおおよその屈折力を得ることを目的とする場合は、アライメント操作を厳密に行わなくても良い。すなわち、左右方向のアライメントについては、中央部の孔Ｈ1，Ｈ2，Ｈ3，Ｈ4の組に限らず、周辺の孔Ｈ４，Ｈ10，Ｈ11，Ｈ12等の他の組による水平プリズム量が略０となれば良い。上下方向のアライメントについても、上下方向の測定位置の内、２個所の等価球面値がほぼ同じであれば良しとして良い。つまり、遠用部が孔Ｈ1〜Ｈ17による測定エリア内に入れば良く、必ずしもノーズピース４の中央部に最適位置を合わせる必要は無いため、アライメントを容易に行える。この場合、水平プリズム量、乱視度数と等価球面値が最小となる位置の屈折力を遠用部の測定値とする。
【００２３】  また、アライメント表示については、図４（ａ）のターゲット１０１と図４（ｂ）の矢印１０２とを同時に表示させても良い。遠用部のおおよその屈折力を得ることを目的とする場合、その屈折力が得られた段階でターゲット１０１の表示形態を変化させるようにして、検者にその旨を知らせれば良い。印点を打つことを目的とするか、遠用部のおおよその屈折力を得ることを目的とするかは、予めスイッチ３により選択しておく。
【００２４】  近用部の測定について説明する。図５は近用部のアライメントの誘導表示を示す図である。遠用部の測定値がメモリ４１に記憶されると、近用部の測定ステップに移る。図５（ａ）に示すように、ディスプレイ２のアライメント画面にはレンズを手前側に移動させる誘導としての矢印マーク１２１が表示される。レンズの移動により測定エリアが遠用部から外れ、累進帯に位置していると判断されると、コロナターゲット１２０が表示される。レンズの移動に伴いコロナターゲット１２０も移動する。その移動は、レンズ上下方向のプリズム量の変化又は加入度の変化を移動量に換算して行う。制御部４０は連続的に測定を行う。
【００２５】  近用部付近もノーズピース４の開口４ａ内ではほぼ屈折力が一定であると考えられる。例えば、制御部４０は縦方向の孔Ｈ１，Ｈ２，Ｈ３，Ｈ４の組、孔Ｈ１，Ｈ２，Ｈ６，Ｈ７の組、Ｈ３，Ｈ４，Ｈ12，Ｈ13の組で得られる各位置の屈折力を求め、等価球面値の差が大きければまだ累進帯にあると判断する。この３位置の等価球面値がほぼ同じ、または孔Ｈ１，Ｈ２，Ｈ３，Ｈ４の組にピークがある場合は、その上下方向の測定位置は近用部にあると判断される。
【００２６】  また、左右方向については、先に測定した遠用部の乱視度数と現在測定される乱視度数の差の絶対値を光学歪み量として、孔Ｈ１，Ｈ２，Ｈ３，Ｈ４の組、孔Ｈ2，Ｈ4，Ｈ9，Ｈ10の組、孔Ｈ1，Ｈ3，Ｈ15，Ｈ16の組で得られる各位置の光学歪み量を求め、孔Ｈ１，Ｈ２，Ｈ３，Ｈ４の組による光学歪み量が最小値となれば左右方向の位置も近用部にあると判断する。もし、最小値が孔Ｈ1，Ｈ3，Ｈ15，Ｈ16にあれば、図５（ｂ）に示すように、コロナターゲット１２０を中心より右側にずれた位置に表示し、より左方向に被検レンズを移動させるべく検者に指示する。
【００２７】  上下方向及び左右方向の測定位置が共に近用部にあれば、図５（ｃ）のように、コロナターゲット１２０の回りに方形形状のサイン１２２を表示し、近用部が見つかったことを検者に知らせる。このときの孔Ｈ１，Ｈ２，Ｈ３，Ｈ４の組による等価球面値から先に得られた遠用部の等価球面値を差し引いた値を加入度数とし、ディスプレイ２に表示する。検者がＲＥＡＤスイッチ８を押すと、近用部測定値がメモリ４１に記憶される。
【００２８】  以上では、近用部を中央部の孔Ｈ１，Ｈ２，Ｈ３，Ｈ４の測定位置にアライメントするものとしたが、おおよその屈折力を得て加入度を知ることを目的とする場合は（通常はこの場合が多い）、上下方向の等価球面値がほぼ同じで、かつ光学歪み量が略０の位置が孔Ｈ１〜Ｈ17による測定エリア内にあれば良しとしても良い。この場合は、これらの条件を満たす位置の屈折力を得て加入度を表示する。
【００２９】  なお、従来のレンズメータによる累進レンズ測定では、遠用部から近用部に移動する際には累進体部をなぞるようにしていたが、本装置では複数の測定位置の屈折力から正しい近用部位置に導くことができるため、遠用部から直接近用部付近に移動させて測定することができる。すなわち、上下方向の等価球面値の差が大きければレンズを下方に移動させ、左右の光学歪み量の小さい方向に移動させていけば良い。中央部の光学歪み量が最小であれば、累進帯の中央にあると判断される。制御部４０はこの判定に従ってコロナターゲット１２０、矢印マーク１２１等の表示を制御する。累進帯に沿って移動させた場合も、上記近用部位置判定方法に従った判定及び移動操作で対応できる。
【００３０】  また、遠用部・近用部の測定値が決定された時点で、ＲＥＡＤスイッチ８を押さなくても、制御部４０の判断で自動的に測定値を記憶しても良い。
【００３１】  以上の説明では累進レンズの測定モードに切換える際は、スイッチ３の操作によるものとしたが、被検レンズが単焦点レンズか累進レンズか不明な場合、グリッド孔による９点の屈折度数の差から自動的に判別することもできる。すなわち、レンズの幾何学中心又は光学中心付近を測定して、９点全てがほぼ同じ屈折力であれば単焦点レンズと判定でき、等価球面値や乱視度数の差が大きい場合は累進レンズと見なすことができる。通常、累進レンズの幾何学中心又は光学中心付近は累進帯であるので、僅かの位置の差で屈折力の変化が大きい。単焦点レンズ測定モードの動作状態において、制御部４０は測定開始後に累進レンズと判定された場合には、その旨を検者に表示して知らせ、累進レンズ測定モードに切換えるようにしても良い。
【００３２】  次に、単焦点レンズの測定における本装置の特徴的な部分を説明する。単焦点レンズの測定は、主に孔Ｈ１，Ｈ２，Ｈ３，Ｈ４の組により求められる光学特性を利用してレンズの光学中心を測定光軸にアライメントして行うが、他の孔の組による結果を利用することもできる。
【００３３】  非球面設計の単焦点レンズでは、光学中心からの距離によってレンズカーブ曲率や収差量が変化してゆく。測定光軸を中心とした１組の測定光束が透過する位置のみの情報しか捕らえられないオートレンズメータでは、測定値の誤差が大きくなったり、僅かな位置の移動で測定値が大きく変化してしまうが、本装置では孔Ｈ1，Ｈ2，Ｈ3，Ｈ4の組の周囲８方向の測定点の屈折力を得た後に平均値を求めて測定値とすることもでき、模擬的にその領域の平均屈折力を得ることができる。これにより、マニュアル式のレンズメータ（検者がコロナのピントの合う位置を調整し、被検レンズの度数を読み取るレンズメータ）に近い測定値を得ることができる。
【００３４】  なお、平均値を求める際には、単純に９点の平均値でも良いし、中央部の測定値にやや重みをつけた係数を掛けた後に平均化しても良い。また、さらに屈折力を得るパターンをＨ１，Ｈ９，Ｈ11，Ｈ13の組、Ｈ２，Ｈ12，Ｈ14，Ｈ16の組、Ｈ４，Ｈ７，Ｈ15，Ｈ17の組、Ｈ３，Ｈ６，Ｈ８，Ｈ10の組やＨ８，Ｈ11，Ｈ14，Ｈ17の組とし、これらの測定点で得られる屈折力を含めて平均化しても良い。
【００３５】  また、孔Ｈ1，Ｈ2，Ｈ3，Ｈ4の測定点で得られる屈折力と、周辺の８点で得られる屈折力の差から被検レンズが非球面レンズか否かを判定することもできる。制御部４０は各測定点の光学特性を求め、非球面レンズであると判定したときには、その判定結果をディスプレイ２に表示する。
【００３６】  また、単焦点レンズにおいては、次のような測定も可能である。測定光学系内または被検レンズ上のゴミ、ホコリ、キズ等の影響で、中央部（孔Ｈ1，Ｈ2，Ｈ3，Ｈ4）の測定値が得られない、または周辺の屈折力と大きく異なることがある。この場合には、周辺のグリッド孔の組（孔Ｈ8，Ｈ11，Ｈ14，Ｈ17）から得られる屈折力を測定値としても良い。周辺のグリッド孔の組でもプリズム測定は可能であるため、被検レンズの光学中心を測定光軸上に誘導することも可能であり、印点を打つ場合にも支障はない。
【００３７】  以上、多数の小孔を持つグリッド板を測定光路に配置した測定光学系を例にとって説明したが、本発明は次のような光学系においても適用できる。例えば、特開平９−４３０９９号公報に記載されたような測定光学系においても、少なくとも３つの測定光源を１組とするものを複数組配置し、これを順次点灯制御することによって、１つの測定ターゲットでノーズピース開口４ａ内に複数の測定位置を形成することができる。また、検影法を基本原理とし、被検レンズと共役となる位置に配置した受光素子を持ち、二種以上の傾斜が異なるスリットを持つ回転体を光路上に配置した測定光学系の構成においても、少なくとも３個の受光点を１組とし、この組を多数設ければ、ノーズピース開口４ａ内に複数の測定位置を形成することが可能である。
【発明の効果】
【００３８】
【発明の効果】
以上説明したように、本発明によれば、累進レンズの測定を操作性良く、容易に行うことができる。
【図面の簡単な説明】
【図１】  装置の外観を示した外観略図である。
【図２】  光学系と制御系を示した図である。
【図３】  グリッド板のパターンを示す図である。
【図４】  遠用部のアライメント表示を示す図である。
【図５】  近用部のアライメント表示を示す図である。
【符号の説明】  １  レンズメータ本体
２  ディスプレイ
４  ノーズピース
２１  測定光源
２２  コリメーティングレンズ
２３  グリッド板
２４  イメージセンサ
４０  制御部
【図１】
0005362159.tif 000002
【図２】
0005362159.tif 000003
【図３】
0005362159.tif 000004
【図４】
0005362159.tif 000005
【図５】
0005362159.tif 000006